(57)【要約】【課題】腰ゴム入りボトムス及びその製造方法において、通常のズボン（パンツ）等のタウンウェアとしてのファッション性を有しており、着用したときのシルエットが美しく、極めて容易に着脱できること。【解決手段】ブーツカットパンツ１は、腰ゴム４のみでウエスト周りを締め付けて着用する構造であり、ベルト部２及びベルト部２の近傍の身頃３が身頃３のヒップ周りの大きさ以上に伸長可能であるため、ファスナーや非伸縮性の紐等を用いることなく、ベルト部２及びベルト部２の近傍の身頃３を引き伸ばして着用することができるので、着脱が極めて容易である。更に、身頃３の全体が伸縮性を有する生地としての伸縮性ポリエステル生地からなるため、着用者の腰周りにぴったりフィットして、美しいシルエットを形成する。【選択図】図１
2009007722.tif 000002
【特許請求の範囲】
【請求項１】
ベルト布を縫い合わせてなるベルト部と身頃とを有し、前記ベルト部の全周に亘って平らな腰ゴムを仕込んだ腰ゴム入りボトムスであって、
前記ベルト部及び前記身頃の少なくとも上端から腰周りまでが伸縮性を有する生地からなり、
前記ベルト部が収縮した状態において収縮した状態における前記腰ゴムと全周長さが略一致しており、
前記ベルト部及び前記ベルト部近傍の身頃が前記身頃のヒップ周りの大きさ以上に伸長可能であることを特徴とする腰ゴム入りボトムス。
【請求項２】
前記ベルト部の伸長率が２５％〜５５％の範囲内であることを特徴とする請求項１に記載の腰ゴム入りボトムス。
【請求項３】
前記身頃の前中心に擬似前立てを設けたことを特徴とする請求項１乃至請求項２に記載の腰ゴム入りボトムス。
【請求項４】
前記ベルト部の上端が前中心及び後中心から両脇に向かって上昇する曲線形状を有しており、前記身頃の上端が前中心及び後中心から両脇に向かって上昇する曲線形状を有していることを特徴とする請求項１乃至請求項３のいずれか１つに記載の腰ゴム入りボトムス。
【請求項５】
前記腰ゴムが前記ベルト部の全周に亘って前記ベルト部の内部に伸縮性を有する糸によって縫付けられていることを特徴とする請求項１乃至請求項４のいずれか１つに記載の腰ゴム入りボトムス。
【請求項６】
前記腰ゴムが幅広の平ゴムであり、前記腰ゴムの幅が前記ベルト部の幅の５０％〜９０％の範囲内であることを特徴とする請求項１乃至請求項５のいずれか１つに記載の腰ゴム入りボトムス。
【請求項７】
前記ベルト部の両脇の前ベルト布と後ベルト布との縫代の内側に芯材を取付けたことを特徴とする請求項１乃至請求項６のいずれか１つに記載の腰ゴム入りボトムス。
【請求項８】
上端が前中心及び後中心から両脇に向かって上昇する曲線形状を有するベルト部と、上端が前中心及び後中心から両脇に向かって上昇する曲線形状を有する身頃とを有し、前記ベルト部の全周に亘って平らな腰ゴムを仕込んだ腰ゴム入りボトムスの製造方法であって、
前記ベルト部の前部を構成する上端が前中心から両脇に向かって上昇する曲線形状を有する伸縮性を有する生地からなる前ベルト布と前記ベルト部の後部を構成する上端が後中心から両脇に向かって上昇する曲線形状を有する伸縮性を有する生地からなる後ベルト布とを両端で縫い合わせてリング状のベルト部表側を作製する工程と、
前記ベルト部の前部を構成する上端が前中心から両脇に向かって上昇する曲線形状を有する伸縮性を有する生地からなる前ベルト布と前記ベルト部の後部を構成する上端が後中心から両脇に向かって上昇する曲線形状を有する伸縮性を有する生地からなる後ベルト布とを両端で縫い合わせてリング状のベルト部見返しを作製する工程と、
前記リング状のベルト部表側と前記リング状のベルト部見返しとを上端の縫代において接ぎ合わせてリング状のベルト布とする工程と、
前記平らな腰ゴムの両端を突き合わせて縫付けてリング状とする工程と、
前記リング状のベルト布の内部に前記リング状とした腰ゴムを入れて、前記腰ゴムの上端を前記リング状のベルト布の内側の上端の縫代に沿って伸縮性を有する糸によって縫付けて前記ベルト部を形成する工程と、
前記身頃を構成する前身頃と後身頃とを両脇で縫い合わせる工程と、
前記身頃の上端に前記ベルト部を前記ベルト部の下端の縫代において縫付ける工程と
を具備することを特徴とする腰ゴム入りボトムスの製造方法。
【請求項９】
前記リング状のベルト部表側と前記リング状のベルト部見返しとを上端の縫代において接ぎ合わせてリング状のベルト布とする工程の前に、前記縫い合わせた１対の前ベルト布及び１対の後ベルト布の縫代を開いて芯材を取付ける工程を有することを特徴とする請求項８に記載の腰ゴム入りボトムスの製造方法。
【発明の詳細な説明】
【技術分野】
【０００１】
本発明は、ズボン（パンツ）類、更に詳しくはブーツカット（フルレングス）パンツ・クロフト（六分丈〜八分丈）パンツ・ハーフパンツ・ショートパンツ等、及びスカート・キュロットスカート等（以下、これらを総称して「ボトムス（bottoms）」という）のベルト部の全周に腰ゴムを仕込んだ腰ゴム入りボトムス及びその製造方法に関するものである。
【背景技術】
【０００２】
従来のトレーニングパンツ等のスポーツウェアのボトムスには、そのウエスト部に通常着用時の脱落を防止するための腰ゴムと、緊張時（例えば、競技時）等にウエスト回りを引き締めるための非伸縮性の紐との双方が設けられているものがある。このような衣類においては、非伸縮性の紐を縛ったり解いたりするのが面倒であり、また近年はスポーツウェアにもタウンウェアと同等のファッション性が求められるようになっており、特に女性用のスポーツウェアにおいてその傾向が著しい。
【０００３】
そこで、前者の問題を解決するために、特許文献１においては、ゴム等の伸縮性材料により形成された部分を有するベルト本体と、ベルト本体の長手方向に設けられた長さ調節手段と、ベルト本体の両端部を連結解除可能とする連結手段とを有する腰ベルト及び腰ベルト付き衣類の発明について開示している。これによって、腰ゴムの入った衣類においても、必要な場合には連結手段でベルト本体の両端部を連結することによって、面倒な動作をすることなく、容易に腰回りをよりきつく締め付けることができるとしている。
【０００４】
また、特許文献２においては、ウエストベルトを脇ポケット口で前ベルトと後ベルトに分離し、前ベルトの延出部と後ベルトのとの重なり部に面ファスナーを設けて前ベルトと後ベルトとをウエスト長さ調節自在かつ着脱自在に接合し、後ベルトの前端部と前ベルトの前端部との間に伸縮帯を伸縮自在に張設したウエスト調節パンツの発明について開示している。これによって、見栄え（ファッション性）が良く、かつ伸縮帯の弾力により腰裏と身体とのフィット感を満足させることができるウエスト調節パンツとなるとしている。
【０００５】
更に、特許文献３においては、身頃表地の内側に後身頃のヒップ部から脇線を通り前身頃の一部を覆う裏地を少なくともウエストラインと内股で表地と縫着・付設し、身頃表地や裏地は伸縮可能な織り編み物を使用したパンツの発明について開示している。これによって、見た目は通常のパンツ（ズボン）と変わらず、ヒップアップ効果があり、着用快適性に優れたパンツとなるとしている。
【特許文献１】特開２０００−２５６９１０号公報
【特許文献２】特開２００２−２７５７０９号公報
【特許文献３】特開２００６−２９９４６４号公報
【発明の開示】
【発明が解決しようとする課題】
【０００６】
しかしながら、上記特許文献１に記載の腰ベルト付き衣類においては、連結手段及びその近傍のベルト本体が衣類から外部に露出しているため、ファッション性に劣るという問題は解消されていない。また、上記特許文献２に記載のウエスト調節パンツ及び上記特許文献３に記載のパンツにおいては、いずれも前中心にファスナーが取付けられており、これらのパンツを着脱する際にはファスナーを開閉しなければならず、着脱が面倒であるという問題点があった。
【０００７】
そこで、本発明においては、通常のズボン（パンツ）等のタウンウェアとしてのファッション性を有しており、着用したときのシルエットが美しく、かつ、極めて容易に着脱することができる腰ゴム入りボトムス及びその製造方法を提供することを課題とするものである。
【課題を解決するための手段】
【０００８】
請求項１の発明に係る腰ゴム入りボトムスは、ベルト布を縫い合わせてなるベルト部と身頃とを有し、前記ベルト部の全周に亘って平らな腰ゴムを仕込んだ腰ゴム入りボトムスであって、前記ベルト部及び前記身頃の少なくとも上端から腰周りまでが伸縮性を有する生地からなり、前記ベルト部が収縮した状態において収縮した状態における前記腰ゴムと全周長さが略一致しており、前記ベルト部及び前記ベルト部近傍の身頃が前記身頃のヒップ周りの大きさ以上に伸長可能であるものである。
【０００９】
ここで、「ボトムス（bottoms,ボトムズともいう）」とは、上半身に着用する衣類であるトップス（tops）に対する用語で、ズボン（パンツ）類、更に詳しくはブーツカット（フルレングス）パンツ・クロフト（六分丈〜八分丈）パンツ・ハーフパンツ・ショートパンツ等、及びスカート・キュロットスカート等の、下半身に着用する衣類を意味する。
【００１０】
また、「伸縮性を有する生地」としては、伸縮性を有するポリエステル生地、ニット生地、トリコット生地、ポリウレタンが１％から３０％混入されたポリウレタン混合生地、綿ストレッチ生地、等を用いることができる。ベルト部と身頃とは、同種の生地で構成されても良いし、異なる生地で構成されても良い。更に、身頃の少なくとも上端から腰周りまでは伸縮性を有する生地から構成される必要があるが、それより下の部分は同一の生地でも異なる生地でも良い。
【００１１】
請求項２の発明に係る腰ゴム入りボトムスは、請求項１の構成において、前記ベルト部の伸長率が２５％〜５５％の範囲内であるものである。
【００１２】
請求項３の発明に係る腰ゴム入りボトムスは、請求項１または請求項２の構成において、前記身頃の前中心に擬似前立てを設けたものである。ここで、「擬似前立て」とは、見た目が前中心のファスナーを隠す通常の前立てと同じで、内部にはファスナーが付いていないものをいう。
【００１３】
請求項４の発明に係る腰ゴム入りボトムスは、請求項１乃至請求項３のいずれか１つの構成において、前記ベルト部の上端が前中心及び後中心から両脇に向かって上昇する曲線形状を有しており、前記身頃の上端が前中心及び後中心から両脇に向かって上昇する曲線形状を有しているものである。
【００１４】
請求項５の発明に係る腰ゴム入りボトムスは、請求項１乃至請求項４のいずれか１つの構成において、前記腰ゴムが前記ベルト部の全周に亘って前記ベルト部の内部に伸縮性を有する糸によって縫付けられているものである。ここで、「伸縮性を有する糸」としては、レジロン（登録商標）糸、ウーリー糸、ユニロン（登録商標）糸、等を用いることができる。
【００１５】
請求項６の発明に係る腰ゴム入りボトムスは、請求項１乃至請求項５のいずれか１つの構成において、前記腰ゴムが幅広の平ゴムであり、前記腰ゴムの幅が前記ベルト部の幅の５０％〜９０％の範囲内であるものである。
【００１６】
請求項７の発明に係る腰ゴム入りボトムスは、請求項１乃至請求項６のいずれか１つの構成において、前記ベルト部の両脇の前ベルト布と後ベルト布との縫代の内側に芯材を取付けたものである。ここで、「芯材」としては、薄手のポリエステル１００％生地、薄手の綿混ポリエステル生地を始めとして、主として薄手の生地が用いられる。
【００１７】
請求項８の発明に係る腰ゴム入りボトムスの製造方法は、上端が前中心及び後中心から両脇に向かって上昇する曲線形状を有するベルト部と、上端が前中心及び後中心から両脇に向かって上昇する曲線形状を有する身頃とを有し、前記ベルト部の全周に亘って平らな腰ゴムを仕込んだ腰ゴム入りボトムスの製造方法であって、前記ベルト部の前部を構成する上端が前中心から両脇に向かって上昇する曲線形状を有する伸縮性を有する生地からなる前ベルト布と前記ベルト部の後部を構成する上端が後中心から両脇に向かって上昇する曲線形状を有する伸縮性を有する生地からなる後ベルト布とを両端で縫い合わせてリング状のベルト部表側を作製する工程と、前記ベルト部の前部を構成する上端が前中心から両脇に向かって上昇する曲線形状を有する伸縮性を有する生地からなる前ベルト布と前記ベルト部の後部を構成する上端が後中心から両脇に向かって上昇する曲線形状を有する伸縮性を有する生地からなる後ベルト布とを両端で縫い合わせてリング状のベルト部見返しを作製する工程と、前記リング状のベルト部表側と前記リング状のベルト部見返しとを上端の縫代において接ぎ合わせてリング状のベルト布とする工程と、前記平らな腰ゴムの両端を突き合わせて縫付けてリング状とする工程と、前記リング状のベルト布の内部に前記リング状とした腰ゴムを入れて、前記腰ゴムの上端を前記リング状のベルト布の内側の上端の縫代に沿って伸縮性を有する糸によって縫付けて前記ベルト部を形成する工程と、前記身頃を構成する前身頃と後身頃とを両脇で縫い合わせる工程と、前記身頃の上端に前記ベルト部を前記ベルト部の下端の縫代において縫付ける工程とを具備するものである。
【００１８】
ここで、「伸縮性を有する生地」としては、伸縮性を有するポリエステル生地、ニット生地、トリコット生地、ポリウレタンが１％から３０％混入されたポリウレタン混合生地、綿ストレッチ生地、等を用いることができる。ベルト部と身頃とは、同種の生地で構成されても良いし、異なる生地で構成されても良い。また、身頃の少なくとも上端から腰周りまでは伸縮性を有する生地から構成される必要があるが、それより下の部分は同一の生地でも異なる生地でも良い。更に、「伸縮性を有する糸」としては、レジロン（登録商標）糸、ウーリー糸、ユニロン（登録商標）糸、等を用いることができる。
【００１９】
請求項９の発明に係る腰ゴム入りボトムスの製造方法は、請求項８の構成において、前記リング状のベルト部表側と前記リング状のベルト部見返しとを上端の縫代において接ぎ合わせてリング状のベルト布とする工程の前に、前記縫い合わせた１対の前ベルト布及び１対の後ベルト布の縫代を開いて芯材を取付ける工程を有するものである。ここで、「芯材」としては、薄手のポリエステル１００％生地、薄手の綿混ポリエステル生地を始めとして、主として薄手の生地が用いられる。
【発明の効果】
【００２０】
請求項１の発明に係る腰ゴム入りボトムスは、ベルト布を縫い合わせてなるベルト部と身頃とを有し、ベルト部の全周に亘って平らな腰ゴムを仕込んだ腰ゴム入りボトムスであって、ベルト部及び身頃の少なくとも上端から腰周りまでが伸縮性を有する生地からなり、ベルト部が収縮した状態において収縮した状態における腰ゴムと全周長さが略一致しており、ベルト部及びベルト部近傍の身頃が身頃のヒップ周りの大きさ以上に伸長可能である。
【００２１】
ここで、「ボトムス（bottoms,ボトムズともいう）」とは、上半身に着用する衣類であるトップス（tops）に対する用語で、ズボン（パンツ）類、更に詳しくはブーツカット（フルレングス）パンツ・クロフト（六分丈〜八分丈）パンツ・ハーフパンツ・ショートパンツ等、及びスカート・キュロットスカート等の、下半身に着用する衣類を意味する。
【００２２】
また、「伸縮性を有する生地」としては、伸縮性を有するポリエステル生地、ニット生地、トリコット生地、ポリウレタンが１％から３０％混入されたポリウレタン混合生地、綿ストレッチ生地、等を用いることができる。ベルト部と身頃とは、同種の生地で構成されても良いし、異なる生地で構成されても良い。更に、身頃の少なくとも上端から腰周りまでは伸縮性を有する生地から構成される必要があるが、それより下の部分は同一の生地でも異なる生地でも良い。
【００２３】
かかる構成を有する腰ゴム入りボトムスは、腰ゴムのみでウエスト周りを締め付けて着用する構造であり、ベルト部及びベルト部近傍の身頃が身頃のヒップ周りの大きさ以上に伸長可能であるため、ファスナーや非伸縮性の紐等を用いることなく、ベルト部及びベルト部近傍の身頃を引き伸ばして着用することができるので、着脱が極めて容易である。
【００２４】
また、ベルト部に伸長力が働かず腰ゴムが収縮した状態における腰ゴムの全周の長さは、ベルト部が収縮した状態における全周の長さと略同一である。したがって、着用していない状態においても、ベルト部の全周の長さと腰ゴムの全周の長さとが一致しているため、ベルト部及びその周辺にシワがよることがなく、商品として陳列された場合にも非常に見栄えが良い。
【００２５】
更に、ベルト部近傍の身頃の少なくとも上端から腰周りまでが伸縮性を有する生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。
【００２６】
このようにして、通常のズボン（パンツ）等のタウンウェアとしてのファッション性を有しており、着用したときのシルエットが美しく、かつ、極めて容易に着脱することができる腰ゴム入りボトムスとなる。
【００２７】
請求項２の発明に係る腰ゴム入りボトムスにおいては、ベルト部の伸長率が２５％〜５５％の範囲内である。
【００２８】
男性用ボトムスの場合のように、ウエスト周りの寸法に比較してヒップ周りの寸法が余り大きくなくて良い場合でも、ベルト部の伸長率が２５％未満であると、着用したときに腰ゴムによる締め付け力が不足して、特にゴルフウェア等のスポーツウェアとして使用する場合には、体にぴったりフィットしている感覚が得られないため、着用して運動するのに不安感を覚える恐れがある。
【００２９】
一方、女性用ボトムスの場合には、ウエスト周りの寸法が６０ｃｍとしてヒップ周りの寸法が９０ｃｍとしても、ベルト部の伸長率が５０％あれば着用が可能であり、ベルト部の伸長率が５５％を超えると、伸縮性を有する生地からなるベルト布であっても、ベルト部の伸長時に無理が掛かって、長期間の着用のうちにベルト布の生地が傷む恐れがある。したがって、ベルト部の伸長率は２５％〜５５％の範囲内であることが好ましい。
【００３０】
このようにして、通常のズボン（パンツ）等のタウンウェアとしてのファッション性を有しており、着用したときのシルエットが美しく、かつ、極めて容易に着脱することができる腰ゴム入りボトムスとなる。
【００３１】
請求項３の発明に係る腰ゴム入りボトムスにおいては、身頃の前中心に擬似前立てを設けている。ここで、「擬似前立て」とは、見た目が前中心のファスナーを隠す通常の前立てと同じで、内部にはファスナーが付いていないものをいう。
【００３２】
スカート以外のボトムス、すなわちズボン（パンツ）・クロフト（六分丈〜八分丈）パンツ・ハーフパンツ・ショートパンツ・キュロットスカート等においては、通常の場合には身頃の前中心にファスナーが取付けられていて、ファスナーを上げ下げして着脱するため、ファスナーを隠すための前立てが設けられている。そこで、スカート以外の腰ゴム入りボトムスにおいては、身頃の前中心に擬似前立てを設けることによって、より通常のタウンウェアらしく見せることができる。
【００３３】
このようにして、通常のズボン（パンツ）等のタウンウェアとしてのファッション性を有しており、着用したときのシルエットが美しく、かつ、極めて容易に着脱することができる腰ゴム入りボトムスとなる。
【００３４】
請求項４の発明に係る腰ゴム入りボトムスにおいては、ベルト部の上端が前中心及び後中心から両脇に向かって上昇する曲線形状を有しており、身頃の上端が前中心及び後中心から両脇に向かって上昇する曲線形状を有している。すなわち、ベルト部の上端及び身頃の上端が直線的なラインではなく、カーブするラインとなっている。
【００３５】
これによって、ベルト部及びその近傍のラインがウエスト周りにフィットする立体的な形状となり、着用したときにより滑らかなシルエットのボトムスとなる。また、身頃の上端のラインをウエスト周りにフィットする立体的な形状としたことによって、ベルト部と身頃の上端との間で角張ることがなく、ベルト部と身頃との繋がりが良いすっきりとした脇線のシルエットが得られる。
【００３６】
このようにして、通常のズボン（パンツ）等のタウンウェアとしてのファッション性を有しており、着用したときのシルエットが美しく、かつ、極めて容易に着脱することができる腰ゴム入りボトムスとなる。
【００３７】
請求項５の発明に係る腰ゴム入りボトムスにおいては、腰ゴムがベルト部の全周に亘ってベルト部の内部に伸縮性を有する糸によって縫付けられている。ここで、「伸縮性を有する糸」としては、レジロン（登録商標）糸、ウーリー糸、ユニロン（登録商標）糸、等を用いることができる。
【００３８】
これによって、腰ゴムがベルト部の内部で捩れたりする事態が確実に防止され、しかもベルト部を構成するベルト布は伸縮性を有する生地からなり、腰ゴムを縫付ける糸も伸縮性を有しているため、腰ゴムのスムーズな伸縮が妨げられることもない。
【００３９】
このようにして、通常のズボン（パンツ）等のタウンウェアとしてのファッション性を有しており、着用したときのシルエットが美しく、かつ、極めて容易に着脱することができる腰ゴム入りボトムスとなる。
【００４０】
請求項６の発明に係る腰ゴム入りボトムスにおいては、腰ゴムが幅広の平ゴムであり、腰ゴムの幅がベルト部の幅の５０％〜９０％の範囲内である。
【００４１】
腰ゴムの幅がベルト部の幅の５０％未満であると、腰ゴムが細すぎてウエスト周りを締め付ける力が不足する場合があり、また着用したときにベルト部に段差を生じて見栄えが悪くなる場合がある。一方、腰ゴムの幅がベルト部の幅の９０％を超えると、腰ゴムの幅が広過ぎて、着用して上体を曲げたり捻ったりする場合に腰ゴムが折れ曲がることになって、着用感を損なう恐れがある。したがって、腰ゴムの幅はベルト部の幅の５０％〜９０％の範囲内であることが好ましい。
【００４２】
このようにして、通常のズボン（パンツ）等のタウンウェアとしてのファッション性を有しており、着用したときのシルエットが美しく、かつ、極めて容易に着脱することができる腰ゴム入りボトムスとなる。
【００４３】
請求項７の発明に係る腰ゴム入りボトムスにおいては、ベルト部の両脇の前ベルト布と後ベルト布との縫代の内側に芯材を取付けている。ここで、「芯材」としては、薄手のポリエステル１００％生地、薄手の綿混ポリエステル生地を始めとして、主として薄手の生地が用いられる。
【００４４】
このように、ベルト部の両脇の縫い合わせ部分に芯材を縫付けるか、貼り付けて、取付けることによって、着用時に大きな張力を受けるベルト部の両脇の縫い合わせ部分を補強することができ、頻繁に着脱しても長期間に亘って痛むことがない、より丈夫な腰ゴム入りボトムスとなる。また、ベルト部の両脇の縫代が内部で固定されるため、縫代が内部で動いてベルト部の外側に響いてシワになることがない。
【００４５】
このようにして、通常のズボン（パンツ）等のタウンウェアとしてのファッション性を有しており、着用したときのシルエットが美しく、かつ、極めて容易に着脱することができるとともにより丈夫な腰ゴム入りボトムスとなる。
【００４６】
請求項８の発明に係る腰ゴム入りボトムスの製造方法は、上端が前中心及び後中心から両脇に向かって上昇する曲線形状を有するベルト部と、上端が前中心及び後中心から両脇に向かって上昇する曲線形状を有する身頃とを有し、ベルト部の全周に亘って平らな腰ゴムを仕込んだ腰ゴム入りボトムスの製造方法であって、ベルト部の前部を構成する上端が前中心から両脇に向かって上昇する曲線形状を有する伸縮性を有する生地からなる前ベルト布とベルト部の後部を構成する上端が後中心から両脇に向かって上昇する曲線形状を有する伸縮性を有する生地からなる後ベルト布とを両端で縫い合わせてリング状のベルト部表側を作製する工程と、ベルト部の前部を構成する上端が前中心から両脇に向かって上昇する曲線形状を有する伸縮性を有する生地からなる前ベルト布とベルト部の後部を構成する上端が後中心から両脇に向かって上昇する曲線形状を有する伸縮性を有する生地からなる後ベルト布とを両端で縫い合わせてリング状のベルト部見返しを作製する工程と、リング状のベルト部表側とリング状のベルト部見返しとを上端の縫代において接ぎ合わせてリング状のベルト布とする工程と、平らな腰ゴムの両端を突き合わせて縫付けてリング状とする工程と、リング状のベルト布の内部にリング状とした腰ゴムを入れて、腰ゴムの上端をリング状のベルト布の内側の上端の縫代に沿って伸縮性を有する糸によって縫付けてベルト部を形成する工程と、身頃を構成する前身頃と後身頃とを両脇で縫い合わせる工程と、身頃の上端にベルト部をベルト部の下端の縫代において縫付ける工程とを具備する。
【００４７】
ここで、「伸縮性を有する生地」としては、伸縮性を有するポリエステル生地、ニット生地、トリコット生地、ポリウレタンが１％から３０％混入されたポリウレタン混合生地、綿ストレッチ生地、等を用いることができる。ベルト部と身頃とは、同種の生地で構成されても良いし、異なる生地で構成されても良い。また、身頃の少なくとも上端から腰周りまでは伸縮性を有する生地から構成される必要があるが、それより下の部分は同一の生地でも異なる生地でも良い。更に、「伸縮性を有する糸」としては、レジロン（登録商標）糸、ウーリー糸、ユニロン（登録商標）糸、等を用いることができる。
【００４８】
上述の如く、上端が前中心及び後中心から両脇に向かって上昇する曲線形状を有するベルト部と、上端が前中心及び後中心から両脇に向かって上昇する曲線形状を有する身頃とを有する腰ゴム入りボトムスは、ベルト部及びその近傍のラインがウエスト周りにフィットする立体的な形状となり、着用したときにより滑らかなシルエットのボトムスとなる。また、身頃の上端のラインをウエスト周りにフィットする立体的な形状としたことによって、ベルト部と身頃の上端との間で角張ることがなく、ベルト部と身頃との繋がりが良いすっきりとした脇線のシルエットが得られる。
【００４９】
しかし、上端が前中心及び後中心から両脇に向かって上昇する曲線形状を有するベルト部は、従来のように前ベルト布及び後ベルト布をそれぞれ一枚の生地として裁断して、前ベルト布及び後ベルト布を中心線で折り返して形成することができない。したがって、本発明に係る製造方法に示されるように、同一形状を有する１対の前ベルト布及び同一形状を有する１対の後ベルト布を、それぞれ接ぎ合わせてベルト部を形成する必要がある。
【００５０】
また、腰ゴムの上端を１対の前ベルト布及び１対の後ベルト布の上端の縫代に沿って伸縮性を有する糸によって縫付けることによって、腰ゴムがベルト部の内部で捩れたりする事態が確実に防止され、しかもベルト部を構成するベルト布は伸縮性を有する生地からなり、腰ゴムを縫付ける糸も伸縮性を有しているため、腰ゴムのスムーズな伸縮が妨げられることもない。
【００５１】
このようにして、通常のズボン（パンツ）等のタウンウェアとしてのファッション性を有しており、着用したときのシルエットが美しく、かつ、極めて容易に着脱することができる腰ゴム入りボトムスの製造方法となる。
【００５２】
請求項９の発明に係る腰ゴム入りボトムスの製造方法においては、リング状のベルト部表側とリング状のベルト部見返しとを上端の縫代において接ぎ合わせてリング状のベルト布とする工程の前に、縫い合わせた１対の前ベルト布及び１対の後ベルト布の縫代を開いて芯材を取付ける工程を有する。ここで、「芯材」としては、薄手のポリエステル１００％生地、薄手の綿混ポリエステル生地を始めとして、主として薄手の生地が用いられる。
【００５３】
このように、ベルト部の両脇の縫い合わせ部分に芯材を縫付けるか、貼り付けて、取付けることによって、着用時に大きな張力を受けるベルト部の両脇の縫い合わせ部分を補強することができ、頻繁に着脱しても長期間に亘って痛むことがない、より丈夫な腰ゴム入りボトムスとなる。また、ベルト部の両脇の縫代が内部で固定されるため、縫代が内部で動いてベルト部の外側に響いてシワになることがない。
【００５４】
このようにして、通常のズボン（パンツ）等のタウンウェアとしてのファッション性を有しており、着用したときのシルエットが美しく、かつ、極めて容易に着脱することができるとともにより丈夫な腰ゴム入りボトムスの製造方法となる。
【発明を実施するための最良の形態】
【００５５】
以下、本発明に係る腰ゴム入りボトムス及びその製造方法の実施の形態について、図面を参照しつつ説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００５６】
実施の形態１
まず、本発明の実施の形態１に係る腰ゴム入りボトムスについて、図１乃至図３を参照して説明する。
【００５７】
図１（ａ）は本発明の実施の形態１に係る腰ゴム入りボトムスの全体構成を示す正面図、（ｂ）は背面図である。図２（ａ）は本発明の実施の形態１に係る腰ゴム入りボトムスのベルト部を構成するベルト布を示す展開図、（ｂ）はベルト布の縫付け方法と腰ゴムの縫付け方法を示す斜視図、（ｃ）は腰ゴムをベルト布で包んで完成したベルト部を示す斜視図である。図３（ａ），（ｂ），（ｃ）は本発明の実施の形態１に係る腰ゴム入りボトムスのベルト部を身頃上端に取付ける手順を示す説明図、（ｄ）は完成した腰ゴム入りボトムスの上部を示す正面図である。
【００５８】
図１（ａ），（ｂ）に示されるように、本実施の形態１に係る腰ゴム入りボトムスとしてのブーツカット（フルレングス）パンツ１は、伸縮性を有する生地としての伸縮性ポリエステル生地からなるベルト布から構成されるベルト部２と、伸縮性を有する生地としての伸縮性ポリエステル生地からなる身頃３（前身頃３Ａ、後身頃３Ｂ）を有しており、ベルト部２には平らな腰ゴム４が仕込まれている。本実施の形態１においては、平らな腰ゴム４として、幅広のオペロン（登録商標）ゴムを使用している。また、図１（ａ）に示されるように、前身頃３Ａの前中心ＦＣには、擬似前立て５が設けられている。
【００５９】
ここで、腰ゴム４は、無端状に両端を接続されてベルト部２の内部に収容されており、両脇でステッチ縫いによってベルト部２に縫付けられている。そして、ベルト部２に伸長力が働かず腰ゴム４が収縮した状態における腰ゴム４の全周の長さは、ベルト部２が収縮した状態における全周の長さと略同一である。したがって、ブーツカットパンツ１は、着用していない状態においてもベルト部２の全周の長さと腰ゴム４の全周の長さとが一致しているため、ベルト部２にシワがよることがなく、商品として陳列された場合にも非常に見栄えが良い。
【００６０】
次に、ブーツカットパンツ１のベルト部２を縫製する手順について、図２及び図３を参照して説明する。図２（ａ）に示されるように、本実施の形態１に係るブーツカットパンツ１のベルト部２は、伸縮性ポリエステル生地からなるベルト布７（前ベルト布７Ａと後ベルト布７Ｂ）によって構成されている。前ベルト布７Ａ及び後ベルト布７Ｂは、いずれも中心線７Ａｃ及び中心線７Ｂｃにおいて折り返されて、最終的には下端（縫代７Ａａ，７Ｂａ）において身頃３の上端に縫付けられる。
【００６１】
縫製の手順としては、まず、図２（ｂ）に示されるように、前ベルト布７Ａの端の縫代７Ａｂと後ベルト布７Ｂの端の縫代７Ｂｂとを、開いた状態のまま縫い合わせて、ベルト布７とする。一方、平らな１枚の腰ゴム４を、両端をステッチ４ａで縫い合わせてリング状とする。次に、図２（ｃ）に示されるように、ベルト布７を中心線７Ａｃ，７Ｂｃで折り返して、リング状の腰ゴム４を包み、ベルト布７の両脇部において落としステッチ４ｂ，４ｃで腰ゴム４を縫付ける。これによって、ベルト部２が形成される。
【００６２】
こうして形成されたベルト部２が、図３（ａ）に示されるように、下端となった縫代７Ａａ，７Ｂａにおいて、身頃３の上端の縫代３Ａａ，３Ｂａに縫付けられる。具体的には、図３（ｂ）に示されるように、二重になった縫代７Ａａまたは縫代７Ｂａと、縫代３Ａａまたは縫代３Ｂａとが、ステッチ８によって全周に亘って縫付けられる。そして、図３（ｃ）に示されるように、余った縫代７Ａａ（または縫代７Ｂａ）と縫代３Ａａ（または縫代３Ｂａ）に合いロック９が掛けられて纏められる。
【００６３】
ここで、腰ゴム４は、ベルト部２の幅の７０％の幅を有しているため、このように両脇ステッチ４ｂ，４ｃの二箇所のみで縫い止められて他の部分はフリーの状態でも、「わ」になったベルト部２の内部で捩れたりする恐れはない。
【００６４】
このようにして、図３（ｄ）に示されるように、本実施の形態１に係る腰ゴム入りボトムスとしてのブーツカット（フルレングス）パンツ１が完成する。かかる構成を有するブーツカットパンツ１は、腰ゴム４のみでウエスト周りを締め付けて着用する構造であり、ベルト部２及びベルト部２の近傍の身頃３が身頃３のヒップ周りの大きさ以上に伸長可能であるため、ファスナーや非伸縮性の紐等を用いることなく、ベルト部２及びベルト部２の近傍の身頃３を引き伸ばして着用することができるので、着脱が極めて容易である。
【００６５】
また、ベルト部２に伸長力が働かず腰ゴム４が収縮した状態における腰ゴム４の全周の長さは、ベルト部２が収縮した状態における全周の長さと略同一である。したがって、着用していない状態においても、ベルト部２の全周の長さと腰ゴム４の全周の長さとが一致しているため、ベルト部２及びその周辺にシワがよることがなく、商品として陳列された場合にも非常に見栄えが良い。
【００６６】
更に、身頃３の全体が伸縮性を有する生地としての伸縮性ポリエステル生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。加えて、身頃３の前中心ＦＣに擬似前立て５を設けているため、より通常のタウンウェアらしく見せることができる。
【００６７】
このようにして、本実施の形態１に係る腰ゴム入りボトムスとしてのブーツカットパンツ１においては、通常のズボン（パンツ）等のタウンウェアとしてのファッション性を有しており、着用したときのシルエットが美しく、かつ、極めて容易に着脱することができる。また、本実施の形態１に係るブーツカットパンツ１をスポーツウェアとして使用した場合、例えばゴルフウェアとして着用した場合には、プレーの途中で食事を摂った場合でも、ウエスト周りが伸長するため、腹部に圧迫感を受けないという作用効果を奏する。
【００６８】
なお、本実施の形態１においては、ベルト部２の両脇（左脇ＬＳ，右脇ＲＳ）の前ベルト布７Ａと後ベルト布７Ｂとの縫代の内側に芯材を取付けていないが、当該縫代７Ａｂ，７Ｂｂの内側に芯材を取付けることもできる。「芯材」としては、薄手のポリエステル１００％生地、薄手の綿混ポリエステル生地を始めとして、主として薄手の生地を用いることができる。
【００６９】
このように、ベルト部２の両脇ＬＳ，ＲＳの縫い合わせ部分に芯材を縫付けるか、貼り付けて、取付けることによって、着用時に大きな張力を受けるベルト部２の両脇ＬＳ，ＲＳの縫い合わせ部分を補強することができ、頻繁に着脱しても長期間に亘って痛むことがない、より丈夫な腰ゴム入りボトムスとなる。また、ベルト部２の両脇ＬＳ，ＲＳの縫代７Ａｂ，７Ｂｂが内部で固定されるため、縫代７Ａｂ，７Ｂｂが内部で動いてベルト部２の外側に響いてシワになることがないという作用効果が得られる。
【００７０】
実施の形態２
次に、本発明の実施の形態２に係る腰ゴム入りボトムスについて、図４乃至図７を参照して説明する。
【００７１】
図４（ａ）は本発明の実施の形態２に係る腰ゴム入りボトムスの全体構成を示す正面図、（ｂ）は背面図である。図５は本発明の実施の形態２に係る腰ゴム入りボトムスのベルト部を構成するベルト布を示す展開図である。図６（ａ）は本発明の実施の形態２に係る腰ゴム入りボトムスのベルト部のベルト部表側とベルト部見返しの形成方法を示す斜視図、（ｂ）はベルト部の両脇の縫代に対する芯材の縫付け方法を示す部分拡大図、（ｃ）は完成したベルト部を示す斜視図である。
【００７２】
図７（ａ）は発明の実施の形態２に係る腰ゴム入りボトムスのベルト部と腰ゴムの縫付け方法を示す部分拡大図、（ｂ）はベルト部の下端の身頃上端への縫付け方法を示す部分拡大図、（ｃ）はベルト部の両脇への落としミシンの掛け方を示す部分拡大図、（ｄ）は完成した腰ゴム入りボトムスの上半分を示す部分正面図である。
【００７３】
図４（ａ），（ｂ）に示されるように、本実施の形態２に係る腰ゴム入りボトムスとしてのブーツカットパンツ１１は、伸縮性を有する生地としての伸縮性ポリエステル生地からなるベルト布から構成されるベルト部１２と、伸縮性を有する生地としての伸縮性ポリエステル生地からなる身頃１３（前身頃１３Ａ、後身頃１３Ｂ）を有しており、ベルト部１２には平らな腰ゴム１４が仕込まれている。本実施の形態２においても、平らな腰ゴム１４として、幅広のオペロン（登録商標）ゴムを使用している。また、図４（ａ）に示されるように、前身頃１３Ａの前中心ＦＣには、擬似前立て１５が設けられている。
【００７４】
ここで、図４（ａ），（ｂ）に示されるように、本実施の形態２に係る腰ゴム入りボトムスとしてのブーツカットパンツ１１は、上記実施の形態１に係るブーツカットパンツ１と異なり、ベルト部１２の上端が前中心ＦＣ及び後中心ＢＣから両脇に向かって上昇する曲線形状を有しており、身頃１３の上端が前中心ＦＣ及び後中心ＢＣから両脇に向かって上昇する曲線形状を有している。すなわち、ベルト部１２の上端及び身頃１３の上端が直線的なラインではなく、カーブするラインとなっている。
【００７５】
このような、ベルト部１２の上端及び身頃１３の上端がカーブするラインを有するブーツカットパンツ１１の製造方法について、図５乃至図７を参照して説明する。
【００７６】
図５に示されるように、ベルト部１２を構成する伸縮性を有する生地としての伸縮性ポリエステル生地からなる前ベルト布１７Ａ及び後ベルト布１７Ｂは、いずれも上端及び下端が前中心ＦＣ及び後中心ＢＣから両脇に向かって上昇する曲線形状を有しており、上端の下端の縫代１７Ａａ，１７Ｂａ及び両側端の縫代１７Ａｂ，１７Ｂｂを有している。これらの前ベルト布１７Ａ及び後ベルト布１７Ｂを２枚ずつ（ベルト部表側とベルト部見返しとして）使用して、間に腰ゴム１４を挟み込んで、ベルト部１２が形成される。
【００７７】
具体的には、まず、図６（ａ）に示されるように、２枚の前ベルト布１７Ａと後ベルト布１７Ｂを、それぞれ両端の縫代１７Ａｂ，１７Ｂｂで縫い合わせて、リング状のベルト部表側１２Ｃ及びベルト部見返し１２Ｄとする。このとき、図６（ｂ）に示されるように、縫代１７Ａｂ，１７Ｂｂを開いて、薄手のポリエステル１００％生地からなる芯材１６を縫付ける。一方、幅広のオペロンゴム１４をリング状にして、両端を突き合わせてステッチ１４ａで縫付けて腰ゴム１４とする。
【００７８】
次に、図６（ｃ）に示されるように、リング状のベルト部表側１２Ｃとベルト部見返し１２Ｄとを重ねて、部分拡大図に示されるように、互いの上端の縫代１７Ａａ，１７Ｂａを折り返して、ステッチ１６によって全周に亘って縫い合わせる。これによって、ベルト部１２を構成するベルト布１７が完成する。
【００７９】
続いて、図７（ａ）に示されるように、リング状に縫い合わされたベルト布１７の内部にリング状の腰ゴム１４を入れて、縫い合わされた上端の縫代１７Ａａ，１７Ｂａに、全周に亘ってステッチ１８で縫付ける。ここで、ステッチ１８を縫付ける糸としては、伸縮性を有する糸としてのレジロン（登録商標）糸が用いられる。このようにして、下端に縫代１７Ａａ，１７Ｂａを有するベルト部１２が形成される。
【００８０】
図７（ｂ）に示されるように、このベルト部１２を身頃１３の上端へ、下端の縫代１７Ａａ，１７Ｂａを折り返して、ステッチ１９によって全周に亘って縫付ける。このとき、ベルト部見返し１２Ｄの折り返し下端からステッチ１９までの縫代は０．５ｃｍとしている。そして、図７（ｃ）に示されるように、ベルト部１２の両脇ＬＳ，ＲＳに尾としステッチ２０を施して、両脇を補強する。
【００８１】
このようにして、図７（ｄ）に示されるように、本実施の形態２に係る腰ゴム入りボトムスとしてのベルト部１２の上端及び身頃１３の上端がカーブするラインを有するブーツカットパンツ１１が製造される。ここで、腰ゴム１４は、無端状に両端を接続されてベルト部１２の内部に収容されているが、上記実施の形態１と異なり、腰ゴム１４はベルト部１２の全周に亘って、ベルト部１２の内部に伸縮性を有する糸としてのレジロン（登録商標）糸によって縫付けられている。
【００８２】
これによって、本実施の形態２に係る腰ゴム入りボトムスとしてのブーツカットパンツ１１においては、着脱時等に腰ゴム１４がベルト部１２の内部で捩れたりする事態が確実に防止され、しかもベルト部１２を構成するベルト布１７は伸縮性を有する生地としての伸縮性ポリエステル生地からなり、腰ゴム１４を縫付ける糸１８も伸縮性を有しているため、腰ゴム１４のスムーズな伸縮が妨げられることもない。
【００８３】
また、ベルト部１２に伸長力が働かず腰ゴム１４が収縮した状態における腰ゴム１４の全周の長さは、ベルト部１２が収縮した状態における全周の長さと略同一である。したがって、ブーツカットパンツ１１は、着用していない状態においてもベルト部１２の全周の長さと腰ゴム１４の全周の長さとが一致しているため、ベルト部１２にシワがよることがなく、商品として陳列された場合にも非常に見栄えが良い。
【００８４】
更に、上記実施の形態１に係るブーツカットパンツ１においては、ベルト布７Ａ，７Ｂを中心線７Ａｃ，７Ｂｃで折り返してベルト部２を構成しているため、ベルト部２の上端が直線状になっており、この結果、図３（ｄ）に示されるように、ベルト部２と身頃３の接続部が両脇ＬＳ，ＲＳにおいて角張った形状になっていたが、本実施の形態２に係るブーツカットパンツ１１においては、図７（ｄ）に示されるように、ベルト部１２の上端をカーブした形状としたことによって、ベルト部１２と身頃１３の接続部が角張らず滑らかに繋がったラインとなり、すっきりとしたシルエットとなるという作用効果が得られる。
【００８５】
また、上記実施の形態１に係るブーツカットパンツ１においては、ベルト部２の上端が直線状であるため、前ベルト部と後ベルト部の接続部分（両脇ＬＳ，ＲＳ）が角になり易いという問題点があったが、この点についても本実施の形態２に係るブーツカットパンツ１１においては、ベルト部１２の上端をカーブした形状としたことによって、前ベルト部と後ベルト部の接続部分が角にならず、滑らかに繋がった形状となるという作用効果が得られる。
【００８６】
また、上記実施の形態１に係るブーツカットパンツ１においては、図３（ｃ）に示されるように、ベルト部２の裏側において縫代に合いロック９を掛けているため、ベルト部２の下端部分にゴロツキが感じられるという問題点があったが、本実施の形態２に係るブーツカットパンツ１１においては、図７（ｂ）に示されるように、ベルト布１７の縫代１７Ａａ，１７Ｂａを折り返して縫付けているため、ベルト部１２の下端部分がすっきりして着用感が向上するという作用効果が得られる。
【００８７】
更に、本実施の形態２に係るブーツカットパンツ１１においては、ベルト部１２を構成するベルト布１７Ａ，１７Ｂの両脇ＬＳ，ＲＳの縫い合わせ部分の内側に芯材１６を縫付けているため、着用時に大きな張力を受けるベルト部１２の両脇ＬＳ，ＲＳの縫い合わせ部分を補強することができ、頻繁に着脱しても長期間に亘って痛むことがない、より丈夫な腰ゴム入りボトムスとなる。また、ベルト部１２の両脇ＬＳ，ＲＳの縫代１７Ａｂ，１７Ｂｂが内部で固定されるため、縫代１７Ａｂ，１７Ｂｂが内部で動いてベルト部１２の外側に響いてシワになることがないという作用効果が得られる。
【００８８】
このようにして、本実施の形態２に係る腰ゴム入りボトムスとしてのブーツカットパンツ１１においては、通常のズボン（パンツ）等のタウンウェアとしてのファッション性を有しており、着用したときのシルエットが美しく、かつ、極めて容易に着脱することができる。また、本実施の形態２に係るブーツカットパンツ１１をスポーツウェアとして使用した場合、例えばゴルフウェアとして着用した場合には、プレーの途中で食事を摂った場合でも、ウエスト周りが伸長するため腹部に圧迫感を受けないという作用効果を奏する。
【００８９】
上記各実施の形態においては、腰ゴム入りボトムスとしてブーツカット（フルレングス）パンツ１，１１のみについて説明したが、腰ゴム入りボトムスとしてはこれに限られるものではなく、クロフトパンツ・ハーフパンツ・ショートパンツ・スカート・キュロットスカート等のボトムス全般に適用することができる。
【００９０】
また、上記各実施の形態においては、伸縮性を有する生地として伸縮性ポリエステル生地を用いた場合について説明したが、伸縮性を有する生地としてはこれに限られるものではなく、ニット生地、トリコット生地、ポリウレタンが１％から３０％混入されたポリウレタン混合生地、綿ストレッチ生地、等を用いることができる。
【００９１】
更に、上記各実施の形態においては、ベルト部２，１２と身頃３，１３とを同種の生地（伸縮性ポリエステル生地）で構成した場合について説明したが、ベルト部と身頃とを異なる生地で構成しても良い。また、身頃の少なくとも上端から腰周りまでは伸縮性を有する生地から構成される必要があるが、それより下の部分は同一の生地でも異なる生地でも良い。
【００９２】
本発明を実施するに際しては、腰ゴム入りボトムスのその他の部分の構成、形状、数量、材質、大きさ、接続関係等についても、腰ゴム入りボトムスの製造方法のその他の工程についても、上記各実施の形態に限定されるものではない。
【００９３】
なお、本発明の実施の形態で挙げている数値は、臨界値を示すものではなく、実施に好適な好適値を示すものであるから、上記数値を若干変更してもその実施を否定するものではない。
【図面の簡単な説明】
【００９４】
【図１】図１（ａ）は本発明の実施の形態１に係る腰ゴム入りボトムスの全体構成を示す正面図、（ｂ）は背面図である。
【図２】図２（ａ）は本発明の実施の形態１に係る腰ゴム入りボトムスのベルト部を構成するベルト布を示す展開図、（ｂ）はベルト布の縫付け方法と腰ゴムの縫付け方法を示す斜視図、（ｃ）は腰ゴムをベルト布で包んで完成したベルト部を示す斜視図である。
【図３】図３（ａ），（ｂ），（ｃ）は本発明の実施の形態１に係る腰ゴム入りボトムスのベルト部を身頃上端に取付ける手順を示す説明図、（ｄ）は完成した腰ゴム入りボトムスの上部を示す正面図である。
【図４】図４（ａ）は本発明の実施の形態２に係る腰ゴム入りボトムスの全体構成を示す正面図、（ｂ）は背面図である。
【図５】図５は本発明の実施の形態２に係る腰ゴム入りボトムスのベルト部を構成するベルト布を示す展開図である。
【図６】図６（ａ）は本発明の実施の形態２に係る腰ゴム入りボトムスのベルト部のベルト部表側とベルト部見返しの形成方法を示す斜視図、（ｂ）はベルト部の両脇の縫代に対する芯材の縫付け方法を示す部分拡大図、（ｃ）は完成したベルト部を示す斜視図である。
【図７】図７（ａ）は発明の実施の形態２に係る腰ゴム入りボトムスのベルト部と腰ゴムの縫付け方法を示す部分拡大図、（ｂ）はベルト部の下端の身頃上端への縫付け方法を示す部分拡大図、（ｃ）はベルト部の両脇への落としミシンの掛け方を示す部分拡大図、（ｄ）は完成した腰ゴム入りボトムスの上半分を示す部分正面図である。
【符号の説明】
【００９５】
１，１１  腰ゴム入りボトムス
２，１２  ベルト部
３，１３  身頃
４，１４  腰ゴム
５，１５  擬似前立て
１２Ｃ  ベルト部表側
１２Ｄ  ベルト部見返し
１６  芯材
１７Ａ  前ベルト布
１７Ｂ  後ベルト布
ＢＣ  後中心
ＦＣ  前中心
ＬＳ  左脇
ＲＳ  右脇
【図１】
2009007722.tif 000003
【図２】
2009007722.tif 000004
【図３】
2009007722.tif 000005
【図４】
2009007722.tif 000006
【図５】
2009007722.tif 000007
【図６】
2009007722.tif 000008
【図７】
2009007722.tif 000009